(57)【要約】【課題】  ユーザ数が増えた場合等に対応する拡張性に優れ、安価に製造でき、小型化が図られ、配線作業も簡易化される光ファイバ接続ユニット及び光配線方式を提供する。【解決手段】  光ファイバ接続ユニット３０は、複数系統の伝送装置２１、２２が接続されるクロス配線ユニット３１を備える。クロス配線ユニット３１は、各伝送装置に対してそれぞれ、少なくともクロス配線ユニット側を融着接続とする装置側多心光ファイバ２５、２６で接続され、クロス配線ユニット３１のユーザ側には複数本のユーザ側多心光ファイバ３６が融着接続により接続されている。クロス配線ユニット３１のクロス配線モジュール３５は、各伝送装置からの複数本の光ファイバを、各ユーザに向けて振り分ける。また、装置側光ファイバ２５、２６による光ファイバ接続ユニット３０と伝送装置２１、２２との間の光配線方式はコネクタ接続（図１）又は融着接続（図７）とする。【選択図】  図１
2007020134.tif 000002
【特許請求の範囲】
【請求項１】
Ｍ系統（Ｍは２以上の数）の伝送装置が接続されるクロス配線ユニットを備え、
前記クロス配線ユニットは、各伝送装置に対してそれぞれ、少なくともクロス配線ユニット側を融着接続とする、合計心数がＮ（Ｎはユーザ数）以上である1本又は複数本の装置側多心光ファイバで接続され、
前記クロス配線ユニットのユーザ側にはＮ本のユーザ側Ｍ心光ファイバが融着接続により接続され、
前記クロス配線ユニットはクロス配線モジュールを備え、このクロス配線モジュールは、各伝送装置からの合計Ｎ×Ｍ本の光ファイバを、各ユーザに対して各伝送装置に対応するＭ本の光ファイバずつを振り分けるように、クロス配線していることを特徴とする光ファイバ接続ユニット。
【請求項２】
前記クロス配線ユニットが複数あり、それらが１つの配線箱内に収容されたことを特徴とする請求項１記載の光ファイバ接続ユニット。
【請求項３】
請求項１の光ファイバ接続ユニットと伝送装置との間を装置側多心光ファイバで接続する光配線方式であって、
装置側多心光ファイバとしてＦＯコードを用い、このＦＯコードの一端をクロス配線ユニット側に融着接続するとともに、他端を伝送装置に対してコネクタ接続することを特徴とする光配線方式。
【請求項４】
請求項１の光ファイバ接続ユニットと伝送装置との間を装置側多心光ファイバで接続する光配線方式であって、
装置側多心光ファイバとして多心テープコードを用い、この多心テープコードの一端をクロス配線ユニット側に融着接続するとともに、他端を伝送装置に対して同じく融着接続することを特徴とする光配線方式。
【発明の詳細な説明】
【技術分野】
【０００１】
この発明は、複数の伝送装置からの光ファイバをユーザ毎に振り分けてユーザ側光ケーブルに接続するための光ファイバ接続ユニット、及び、伝送装置と光ファイバ接続ユニットとの間の光配線方式に関する。
【背景技術】
【０００２】
例えば、大規模マンション棟等に光ファイバを導入する際の施設として、ＭＤＦ（主配線盤）室内において、図８に示すように、データ用伝送装置１及び映像用伝送装置２を設置し、光成端箱内等に配置したクロス配線ユニット３において、各ユーザへの光ファイバ導入を行うシステムが採用されている。
図８において、４は光アダプタ、５は光ファイバシートである。クロス配線ユニット３の光アダプタ４には、両端コネクタ付きの例えば４心光コード７、８が接続され、また、光アダプタ４において単心コネクタ接続された接続用光コード１０、１１は、融着接続部１２を介して光ファイバシート５内に引き入れられ、光ファイバシート５内ではクロス配線により、各伝送装置１、２の２本の光ファイバからなるユーザ毎の２心光ファイバテープ１４と融着接続部１３において融着接続されている。
【発明の開示】
【発明が解決しようとする課題】
【０００３】
上記従来の光ファイバ接続ユニット２０では、クロス配線ユニットが光ファイバシート５で構成されているので、光ファイバシート５内の配線パターン、収容本数は決まってしまい、ユーザ数が増えた時に対応できず、拡張性に欠けるという欠点がある。
また、光ファイバシート５を製造するにはコストが掛かるという欠点がある。
また、光アダプタ４や単心コード（接続用光コード１０、１１）が嵩張って、クロス配線ユニットが小型化されず、また、クロス配線ユニット３内の配線も煩雑である。
【０００４】
本発明は上記従来の欠点を解消するためになされたもので、光ファイバシートを用いず、ユーザ数が増えた時に容易に対応可能で拡張性に優れ、また、安価に製造でき、さらに、クロス配線ユニットの小型化による光成端箱の小型化を可能にし、配線作業も簡易化される光ファイバ接続ユニット及び光配線方式を提供することを目的とする。
【課題を解決するための手段】
【０００５】
上記課題を解決する本発明の光ファイバ接続ユニットは、Ｍ系統（Ｍは２以上の数）の伝送装置が接続されるクロス配線ユニットを備え、
前記クロス配線ユニットは、各伝送装置に対してそれぞれ、少なくともクロス配線ユニット側を融着接続とする、合計心数がＮ（Ｎはユーザ数）以上である1本又は複数本の装置側多心光ファイバで接続され、
前記クロス配線ユニットのユーザ側にはＮ本のユーザ側Ｍ心光ファイバが融着接続により接続され、
前記クロス配線ユニットはクロス配線モジュールを備え、このクロス配線モジュールは、各伝送装置からの合計Ｎ×Ｍ本の光ファイバを、各ユーザに対して各伝送装置に対応するＭ本の光ファイバずつを振り分けるように、クロス配線していることを特徴とする。
【０００６】
請求項２は、請求項１の光ファイバ接続ユニットにおいて、クロス配線ユニットが複数あり、それらが１つの配線箱内に収容されたことを特徴とする。
【０００７】
請求項３の発明は、請求項１の光ファイバ接続ユニットと伝送装置との間を装置側多心光ファイバで接続する光配線方式であって、
装置側多心光ファイバとしてＦＯコードを用い、このＦＯコードの一端をクロス配線ユニット側に融着接続するとともに、他端を伝送装置に対してコネクタ接続することを特徴とする。
【０００８】
請求項４の発明は、請求項１の光ファイバ接続ユニットと伝送装置との間を装置側多心光ファイバで接続する光配線方式であって、
装置側多心光ファイバとして多心テープコードを用い、この多心テープコードの一端をクロス配線ユニット側に融着接続するとともに、他端を伝送装置に対して同じく融着接続することを特徴とする。
【発明の効果】
【０００９】
本発明の光ファイバ接続ユニットによれば、クロス配線部分が光ファイバシートでなくケース内でクロス配線モジュールを用いているので、ユーザ数が増加したり伝送系統の数が増加した場合でも、クロス配線ユニットの内部の光ファイバと外部の光ファイバとを接続するだけで対応できるので、拡張性に優れている。
また、光ファイバシートと異なり、ケース内にクロス配線するだけであるから、安価に製造できる。
また、光アダプタや単心コードが不要となり、クロス配線ユニットの小型化及びこれに伴う光成端箱の小型化を実現できる。
また、クロス配線ユニット内にコネクタ接続部がないので、配線作業が容易である。
【００１０】
請求項３の光配線方式によれば、伝送装置側がコネクタ接続なので、切替接続は伝送装置側で容易に行うことができる。
【００１１】
請求項４の光配線方式によれば、光ファイバ接続ユニット側だけでなく伝送装置側も融着接続なので、伝送装置側でも光アダプタが不要となり、伝送装置を小型化できる。
【発明を実施するための最良の形態】
【００１２】
以下、本発明を実施した光ファイバ接続ユニットについて、図面を参照して説明する。
【実施例１】
【００１３】
図１は本発明の一実施例の光ファイバ接続ユニット３０の模式的な構成説明図である。この光ファイバ接続ユニット３０は、データ用伝送装置２１と映像用伝送装置２２との２系統の伝送装置を設置した場合であり、かつ、ユーザが４戸の場合である。すなわち、２系統の伝送装置２１、２２とこれら２系統（系統数Ｍ＝２）の伝送装置２１、２２が接続されるクロス配線ユニット３１とを備え、前記クロス配線ユニット３１は、各伝送装置２１、２２に対してそれぞれ、伝送装置２１、２２側をコネクタ接続としクロス配線ユニット３１側を融着接続とする４心（Ｎ心：ユーザ数Ｎ＝４）のＦＯコード（装置側多心光ファイバ）２５、２６で接続され、前記クロス配線ユニット３１のユーザ側には４本（Ｎ＝４）のユーザ側２心光ファイバテープ（ユーザ側Ｍ心光ファイバ）３６が融着接続により接続されている。
そして、クロス配線ユニット３１はクロス配線モジュール３５を備え、このクロス配線モジュール３５は、各伝送装置２１、２２からの合計８本（Ｎ×Ｍ＝４×２＝８）の光ファイバを、４戸のユーザに対して各伝送装置２１、２２に対応する２本（Ｍ＝２）の光ファイバずつを振り分けるように、クロス配線している。
クロス配線モジュール３５のクロス配線の装置側端部３５ａと４心ＦＯコード２５、２６の融着接続部を３７で示す。また、前記クロス配線モジュール３５のクロス配線のユーザ側端部３５ｂとユーザ側２心光ファイバテープ３６との融着接続部を３８で示す。
上記のように、クロス配線ユニット３１において、データ用伝送装置２１からの４本の光ファイバと映像用伝送装置２２からの４本の光ファイバとの合計８本の光ファイバが、クロス配線ユニット３１でクロス配線されて、４戸のユーザに向かう４本の２心光ファイバテープ３６に振り分けられている。各２心光ファイバテープ３６はデータ用伝送装置２１からの光ファイバと映像用伝送装置２２からの光ファイバとを１本ずつ含む。
この実施例における光ファイバ接続ユニット３０と伝送装置２１、２２との間の光配線方式は、上述の通りであり、装置側多心光ファイバとして４心ＦＯコード２５、２６を用い、この４心ＦＯコード２５、２６の一端（ファイバ端）をクロス配線ユニット３１側に融着接続するとともに、他端（コネクタ端）を伝送装置２１、２２に対してコネクタ接続するものである。４心ＦＯコード２５、２６の他端の光コネクタを２５ａ、２６ａで示す。
【実施例２】
【００１４】
図２〜図４に示した実施例の光ファイバ接続ユニット４０は、伝送装置が４系統（Ｍ＝４）の場合であり、前記データ用伝送装置２１及び映像用伝送装置２２に加えて、別回線用伝送装置２３及び予備の伝送装置２４を備えている。ユーザ数は前記と同じく４戸である。
すなわち、光ファイバ接続ユニット４０は、４系統の伝送装置２１、２２、２３、２４と、これら４系統（系統数Ｍ＝４）の伝送装置２１、２２、２３、２４が接続されるクロス配線ユニット４１とを備え、前記クロス配線ユニット４１は、図３にも示すように、４系統の伝送装置２１、２２、２３、２４に対してそれぞれ、４心（Ｎ心：ユーザ数Ｎ＝４）のＦＯコード（装置側多心光ファイバ）２５、２６、２７、２８で接続され、前記クロス配線ユニット４１のユーザ側には４本（Ｎ＝４）のユーザ側４心光ファイバテープ（ユーザ側Ｍ心光ファイバ）４６が融着接続により接続されている。
クロス配線ユニット４１のクロス配線モジュール４５は、各伝送装置２１、２２、２３、２４からの合計１６本（Ｎ×Ｍ＝４×４＝１６）の光ファイバを、４戸のユーザに対して各伝送装置２１、２２、２３、２４に対応する４本（Ｍ＝４）の光ファイバずつを振り分けるように、クロス配線している。なお、図示例では、３つのクロス配線ユニット４１を光成端箱４９に収容している。
クロス配線モジュール４５のクロス配線の装置側端部４５ａと４心ＦＯコード２５、２６、２７、２８との融着接続部を４７で示す。また、クロス配線モジュール４５のクロス配線のユーザ側端部４５ｂとユーザ側４心光ファイバテープ４６との融着接続部を４８で示す。
上記のように、クロス配線ユニット４１において、データ用伝送装置２１からの４本の光ファイバと映像用伝送装置２２からの４本の光ファイバと別回線用伝送装置２３からの４本の光ファイバと予備用の伝送装置２４からの４本の光ファイバとの合計１６本の光ファイバが、クロス配線モジュール４５でクロス配線されて、４戸のユーザに向かう４本のユーザ側４心光ファイバテープ４６に振り分けられている。各ユーザ側４心光ファイバテープ４６はデータ用伝送装置２１からの光ファイバと映像用伝送装置２２からの光ファイバと別回線用伝送装置２３からの光ファイバと予備用の伝送装置２４からの光ファイバとを１本ずつ含む。
なお、予備用の伝送装置２４は、それが本来の予備の状態であれば、４心ＦＯコード２８が未だ接続されていないのであるが、説明の便宜上、既に何らかの用途に使用されたとして、４心ＦＯコード２８が接続された状態で説明した。
【００１５】
図４に前記光成端箱４９の具体的内部構造の一例を概略示す。同図の（イ）は平面図、（ロ）は正面図、（ハ）は側面図である。この光成端箱４９は、水平に設置される配線箱４９ａ内の中央部に３つのクロス配線モジュール４５を３段に積層する態様で配置し、一端側に装置側の融着接続トレイ（融着接続部）４７、他端側にユーザ側の融着接続トレイ（融着接続部）４８をいずれも３段に積層する態様で配置している。各融着接続トレイ４７、４８はそれぞれ外側にスライドさせて引き出し可能である。なお、上中下の各段のクロス配線モジュール４５及び融着接続トレイ４７、４８は、各段毎にそれぞれクロス配線ユニット４１、４２、４３を構成するようにするとよいが、必ずしもそのような対応関係にする必要はない。なお、図２の例では、３つのクロス配線ユニット４１、４２、４３のうちの１つのみを使用している。
【実施例３】
【００１６】
図５に他の実施例の光ファイバ接続ユニット４０Ａを示す。この光ファイバ接続ユニット４０Ａは、図２の実施例と同様に４系統の伝送装置２１、２２、２３、２４を備えた場合であるが、ユーザ数は１２戸である。この実施例では、図２の光ファイバ接続ユニット４０における３つのクロス配線ユニット４１、４２、４３をすべて使用しており、各クロス配線ユニット４１、４２、４３がそれぞれ４戸のユーザに対応している。
各クロス配線ユニット４１、４２、４３の装置側はそれぞれ、個別の４心ＦＯコード（装置側多心光ファイバ）２５、２６、２７、２８を介して各伝送装置２１、２２、２３、２４に接続され、また、各クロス配線ユニット４１のユーザ側にはそれぞれ、４戸のユーザ向けのユーザ側４心光ファイバテープ（ユーザ側Ｍ心光ファイバ）４６が接続されている。
このように、この実施例では、ユーザ数の増加に対して、クロス配線ユニットを増設することで対応している。
【実施例４】
【００１７】
図６にさらに他の実施例の光ファイバ接続ユニット５０を示す。この光ファイバ接続ユニット５０は、図２の実施例と同様に４系統の伝送装置２１、２２、２３、２４を備えた場合であるが、ユーザ数は８戸である。この光ファイバ接続ユニット５０は、１つのクロス配線ユニット５１が各伝送装置２１、２２、２３、２４に対して、いずれも２本の４心ＦＯコード（装置側多心光ファイバ）２５、２６、２７、２８により接続されている。また、クロス配線ユニット５１のユーザ側には８戸のユーザ向け（８本）のユーザ側４心光ファイバテープ（ユーザ側Ｍ心光ファイバ）５６が接続されている。この場合、クロス配線モジュール５５は、各伝送装置２１、２２、２３、２４からの合計３２本（Ｎ×Ｍ＝８×４＝３２）のクロス配線をしている。
このように、この実施例では、ユーザ数の増加に対して、各伝送装置に対する４心ＦＯコード（装置側多心光ファイバ）の本数を増やし、かつ、クロス配線モジュールの配線数を増やすことで対応している。
【実施例５】
【００１８】
上記の各実施例における光ファイバ接続ユニットと伝送装置との間の光配線方式は、装置側光ファイバとしてＦＯコードを用い、伝送装置側とはコネクタ接続するものであるが、図７に示した実施例のように、伝送装置側との接続も融着接続としてもよい。
図７は図１と同じく２系統の伝送装置を持つ場合である。データ用の伝送装置２１と光ファイバ接続ユニット３０との間の接続は４心ＦＯコード２５によるものであり、図１の実施例と同じであるが、映像用の伝送装置２２’と光ファイバ接続ユニット３０との間の接続は、装置側多心光ファイバとして４心テープコード２６’を用い、この４心テープコード２６’の映像用伝送装置２２’側も、クロス配線ユニット３１側と同じく融着接続とする。
図示例の映像用伝送装置２２’は模式的に示しているが、映像信号用の電気／光変換器６１に接続された光スプリッタ融着ユニット６２を備えており、その光スプリッタ６３の出力ファイバ６３ａと４心テープコード２６’の各光ファイバとを融着接続する。なお、必要に応じて、電気／光変換器６１と光スプリッタ融着ユニット６２との間に別の光スプリッタ及び光アンプを介在させる。
【００１９】
上記図７の光配線方式によれば、映像用伝送装置２２’については、光ファイバ接続ユニット３０側だけでなく伝送装置側も融着接続なので、伝送装置側で光アダプタが不要となり、伝送装置を小型化できる。
なお、図７では映像用の伝送装置のみについて、装置側光ファイバの両側とも融着接続としたが、すべての伝送装置について、図７の映像用伝送装置２２’と同じ光配線方式を採用できる。
【実施例６】
【００２０】
上記の各実施例では、大規模マンション棟等に光ファイバを導入する際の施設として想定しており、伝送装置のクロス配線ユニットと反対側は通信線路となるが、伝送装置及びクロス配線ユニットが局舎内設備であるとする適用も可能である。この場合、ユーザ側４心光ファイバテープ３６、４６、５６が通信線路となるが、局側において予めクロス配線することにより、線路側での保守が容易になる。系統が増加するほど線路側の保守性が重要になるので、本発明の効果が発揮される。
【図面の簡単な説明】
【００２１】
【図１】本発明の一実施例の光ファイバ接続ユニット及び光配線方式の模式的な構成説明図である。
【図２】本発明の他の実施例の光ファイバ接続ユニット及び光配線方式の模式的な構成説明図である。
【図３】図２におけるクロス配線ユニットの構成を模式的に示し、かつクロス配線モジュールのクロス配線状態を説明する図である。
【図４】光成端箱の具体的内部構造の一例を概略示すもので、（イ）は平面図、（ロ）は正面図、（ハ）は側面図である。
【図５】本発明のさらに他の実施例の光ファイバ接続ユニット及び光配線方式の模式的な構成説明図である。
【図６】本発明のさらに他の実施例の光ファイバ接続ユニット及び光配線方式の模式的な構成説明図である。
【図７】光配線方式の他の実施例を示す模式的な構成説明図である。
【図８】従来の光ファイバ接続ユニット及び光配線方式の模式的な構成説明図である。
【符号の説明】
【００２２】
２１、２２、２２’、２３、２４      伝送装置
２５、２６、２７、２８      ４心ＦＯコード（装置側多心光ファイバ）
２６’    ４心テープコード（多心光ファイバ）
３０、４０、４０Ａ、５０    光ファイバ接続ユニット
３１              クロス配線ユニット
４１、４２、４３  クロス配線ユニット
５１、５２、５３  クロス配線ユニット
３５、４５、５５        クロス配線モジュール
３５ａ、４５ａ、５５ａ  クロス配線モジュールのクロス配線の装置側端部
３５ｂ、４５ｂ、５５ｂ  クロス配線モジュールのクロス配線のユーザ側端部
３６、４６、５６    ユーザ側４心光ファイバテープ
３７、４７、５７    装置側の融着接続部
３８、４８、５８    ユーザ側の融着接続部
４９      光成端箱
【図１】
2007020134.tif 000003
【図２】
2007020134.tif 000004
【図３】
2007020134.tif 000005
【図４】
2007020134.tif 000006
【図５】
2007020134.tif 000007
【図６】
2007020134.tif 000008
【図７】
2007020134.tif 000009
【図８】
2007020134.tif 000010